【事件の表示】
　特願２０１７−１４７７８２号「遊技台」拒絶査定不服審判事件について、次のとおり審決する。
【結　論】
　本件審判の請求は、成り立たない。
【理　由】
１　手続の経緯
　本願は、平成２９年７月３１日の出願あって、平成２９年８月２３日付けで拒絶の理由が通知され、同年９月２７日に意見書及び手続補正書が提出されたところ、同年１０月５日付けで拒絶査定がなされ、これに対し、同年１１月９日に拒絶査定不服審判の請求がなされると同時に手続補正書が提出され、これに対して、平成３０年７月２５日付けで当審において拒絶の理由（以下、「当審拒絶理由」という。）が通知され、同年９月２６日に意見書及び手続補正書が提出されたものである。
　
２　本願発明 
　本願の請求項１〜１１に係る発明のうち、請求項１に係る発明（以下、「本願発明」という。）は、平成３０年９月２６日に提出された手続補正書の特許請求の範囲の請求項１に記載された次のとおりのものである（Ａ〜Ｏは、本願発明を分説するため当審で付与した。）。
　
（本願発明）
「【請求項１】
Ａ　表示手段を備えた遊技台であって、
Ｂ　前記表示手段は、実行中の図柄変動表示に関するアイコン（以下、「変動アイコン」という。）を表示可能な手段であり、
Ｃ　前記表示手段は、該表示手段における表示領域のうちの或る表示領域に前記変動アイコンを表示可能な手段であり、
Ｄ　前記表示手段は、二つの前記変動アイコン（以下、「二つの変動アイコン」という。）を表示可能な手段であり、
Ｅ　前記二つの変動アイコンのうちの一つは、第一の変動アイコンであり、
Ｆ　前記二つの変動アイコンのうちの一つは、第二の変動アイコンであり、
Ｇ　前記第一の変動アイコンと前記第二の変動アイコンが重ならずに表示されている場合があり、
Ｈ　前記第二の変動アイコンの全部が前記或る表示領域とは別の表示領域に表示されている場合があり、
Ｉ　前記第一の変動アイコンが表示されている期間において前記第二の変動アイコンが移動するアニメーション（以下、「第二の移動アニメ」という。）が表示される場合があり、
Ｊ　前記第二の移動アニメが表示されている期間の少なくとも一部の期間に前記第二の変動アイコンの少なくとも一部が予告表示の少なくとも一部と重なる場合があり、
Ｋ　前記第二の移動アニメが表示された後、前記第二の変動アイコンが前記或る表示領域に表示される場合（以下、「第一の場合」という。）があり、
Ｌ　前記第二の移動アニメが表示された後、前記第二の変動アイコンが前記或る表示領域に表示されずに前記第一の変動アイコンが該或る表示領域に表示される場合（以下、「第二の場合」という。）があり、
Ｍ　或る数を上限として図柄変動表示の実行の開始を保留することが可能であり、
Ｎ　前記二つの変動アイコンが表示されている期間に表示されている保留アイコンの数が、前記或る数を超えた数となる場合がある、
Ｏ　ことを特徴とする遊技台。」
　
３　拒絶の理由
　当審拒絶理由は、平成２９年１１月９日に提出された手続補正書により補正がされた請求項１〜１４に係る発明は、本願の出願前に日本国内又は外国において、頒布された又は電気通信回線を通じて公衆に利用可能となった以下の引用文献に記載された発明及び周知の技術に基づいて、その出願前にその発明の属する技術の分野における通常の知識を有する者が容易に発明をすることができたものであるから、特許法第２９条第２項の規定により特許を受けることができない、との理由を含むものである。
　
　引用文献１：特許第６１６８６３８号公報
　引用文献２：特許第６１６８５７５号公報
（うち、引用文献１は請求項１〜１４に対して、引用文献２は請求項４〜１４に対して引用。）
　
４　引用文献に記載された事項
　当審拒絶理由に引用され、本願の出願前に頒布された上記引用文献１には、「遊技台」の発明に関し、図面と共に以下の事項が記載されている（下線は当審で付した。）。
　
（１）「【０００６】
　本発明の目的は、表示手段に特徴を持った遊技台を提供することにある。
・・・
【図面の簡単な説明】
【０００９】
・・・
【図５】本発明の一実施の形態によるパチンコ機１００での表示図柄の一例であって、（ａ）は特図１の停止表示図柄の一例を示し、（ｂ）は特図２の停止表示図柄の一例を示し、（ｃ）は装飾図柄の一例を示し、（ｄ）は普図の停止表示図柄の一例を示す図である。
・・・
【図１６】本発明の一実施の形態によるパチンコ機１００の実施例１における演出例を時系列で示す図である。
【図２０】本発明の一実施の形態によるパチンコ機１００の実施例５〜７における演出例を時系列で示す図である。
【図２１】本発明の一実施の形態によるパチンコ機１００の実施例７、８における演出例を時系列で示す図である。
【図２２】本発明の一実施の形態によるパチンコ機１００の実施例９における演出例を時系列で示す図である。
【発明を実施するための形態】
【００１０】
　以下、図面を用いて、本発明の一実施の形態に係る遊技台（例えば、パチンコ機等の弾球遊技機やスロットマシン等の回胴遊技機）について説明する。まず、図１を用いて、本実施の形態による
パチンコ機１００
　
（２）「【００７３】
　次に、図５（ａ）〜（ｄ）を用いて、パチンコ機１００の特図１表示装置２１２、特図２表示装置２１４、装飾図柄表示装置２０８、普図表示装置２１０が停止表示する特図および普図の種類について説明する。図５（ａ）は特図１の停止図柄態様の一例を示したものであり、図５（ｂ）は特図２の停止図柄態様の一例を示したものである。
特図１始動口２３０に球が入球したことを第１始動口センサが検出したことを条件として特図１変動遊技が開始され、特図２始動口２３２に球が入球したことを第２始動口センサが検出したことを条件として特図２変動遊技が開始され
　
（３）「【０１３８】
　以上の説明では、有利度の高い特図２変動遊技が有利度の低い特図１変動遊技よりも優先して開始され、特図２の保留が特図１の保留よりも優先して消化される特図２優先変動を例に挙げたが、有利度の低い特図１変動遊技が有利度の高い特図２変動遊技よりも優先して開始され、特図１の保留が特図２の保留よりも優先して消化される特図１優先変動であってもよい。また、特図２変動遊技および特図１変動遊技のいずれを優先することもなく、特図１および特図２それぞれの保留に係る特図変動遊技を始動口に入賞した順に開始する始動口入賞順変動であってもよい。始動口入賞順変動では、保留の上限数が特図１および特図２に関わらず８つになるため、
特図１および特図２のそれぞれにおいて保留の上限数が４つとなる
　
（４）「【０２３２】
　次に、本実施の形態の
パチンコ機１００
パチンコ機１００は
第１装飾図柄表示装置２０８Ｌと、第２装飾図柄表示装置２０８Ｍと、第３装飾図柄表示装置２０８Ｎとを表示手段として有している
・・・
【０２３８】
　
第１装飾図柄表示装置２０８Ｌ
には、変動アイコン表示領域ｅが設けられ
変動アイコン表示領域ｅ内に表示された円柱状のステージ（台座画像）の上面上に載置されるように変動アイコンが表示され
変動アイコンは、保留が消化されて特図変動遊技が開始されると
表示されるアイコンである
変動アイコンｅ１が表示され
【０２３９】
　変動アイコン表示領域ｅの左方には特図１保留アイコン表示領域ｆが設けられている。特図１保留アイコン表示領域ｆには、特図１の保留数に応じた数の特図１の保留アイコンが表示可能である。パチンコ機１００は、特図１保留アイコン表示領域ｆに特図１の保留アイコンの個数によって特図１変動遊技の保留数を報知することが可能であるとともに、
各保留アイコンの態様によって当該保留に係る
先読み予告を実行することが可能である
白色円形の態様はデフォルトの態様であって、複数の態様のうちの最も大当り信頼度が低い態様である
　
（５）「【０３３１】
・・・
（実施例７）
　次に、図２０（ｊ）〜（ｏ）、図２１（ａ）〜（ｃ）を用いて、本実施の形態の実施例７によるパチンコ機１００の演出例について説明する。図２０（ｊ）〜図２１（ｃ）の各図は、本実施例によるパチンコ機１００を時系列で示す図である。図２０および図２１の各図では、家紋役物２２４Ｅおよび操作ボタン７１０の図示は省略する。
【０３３８】
　図２０（ｏ）は、
変化予告アイコンｋ２が保留アイコンｆ１の一部にオーバーラップする位置まで移動し
【０３３９】
　図２１（ａ）は、図２０（ｏ）から引き続き状態を示している。図２１（ａ）では、
変化予告アイコンｋ２が消去され、エフェクト画像ｍが保留アイコンｆ１の全体にオーバーラップして表示され
　
（６）「【０３５５】
・・・
（実施例９）
　次に、図２２（ａ）〜（ｏ）を用いて、本実施の形態の実施例９によるパチンコ機１００の演出例について説明する。図２２（ａ）〜（ｏ）の各図は、本実施例によるパチンコ機１００を時系列で示す図である。図２２の各図では、家紋役物２２４Ｅおよび操作ボタン７１０の図示は省略する。
【０３５６】
　図２２（ａ）は、特図１変動遊技が実行中である状態を示している。図柄表示領域２０８ａ〜２０８ｃでは装飾図柄の変動表示が行われており、第四図柄ランプｉ１では第四図柄の変動表示が行われており、第２装飾図柄表示装置２０８Ｍでは第五図柄の変動表示が行われている。また、図２２（ａ）に示す時点の状態では、特図１の保留数が１であり、特図２の保留数は０であるので、特図１保留アイコン表示領域ｆに保留アイコンｆ１が表示され、特図２保留アイコン表示領域ｇに保留アイコンが表示されておらず、第３装飾図柄表示装置２０８Ｎには「１」と「０」の数字により保留数が表示されている。保留アイコンｆ１の態様は、白色円形である。また、変動アイコン表示領域ｅには、変動アイコンｅ１が表示されている。
変動アイコンｅ１の態様は、白色円形である
第２装飾図柄表示装置２０８Ｍに
変化予告アイコンｋ１と
変化予告アイコンｋ２とが
表示され
【０３５７】
　図２２（ｂ）は、
変化予告アイコンｋ２が移動する移動アニメーションが開始され
変化予告アイコンｋ２が保留アイコンｆ１に向かって移動を開始する
【０３５８】
　図２２（ｃ）は、
変化予告アイコンｋ１が移動する移動アニメーションが開始され
変化予告アイコンｋ１が変動アイコンｅ１に向かって移動を開始する
図２２（ｄ）は、変化予告アイコンｋ２が保留アイコンｆ１の一部にオーバーラップする位置まで移動した状態を示している。図中、変化予告アイコンｋ２の左側に図示する右下向き矢印は、変化予告アイコンｋ２の軌跡を表している。
・・・
【０３６１】
　また、図２２（ｅ）では、
変化予告アイコンｋ１が変動アイコンｅ１の一部にオーバーラップする位置まで移動し
【０３６２】
　図２２（ｆ）は、変化予告アイコンｋ１が消去され、エフェクト画像ｍ２が変動アイコンｅ１の全体にオーバーラップして表示された状態を示している。
変化予告アイコンｋ１が変動アイコンｅ１の一部にオーバーラップされると、変化予告アイコンｋ１が消去され
代わってエフェクト画像ｍ２が表示され
【０３６３】
　図２２（ｇ）は、エフェクト画像ｍ１が消去された状態を示している。エフェクト画像ｍ１の消去が保留変化表示の終了であり、
保留変化表示が行われたことにより、保留アイコンｆ１の態様が白色円形から緑色円形に変化し
先読み予告の対象の保留に対応する保留アイコンｆ１は
緑色に変化する
【０３６４】
　図２２（ｈ）は、
エフェクト画像ｍ２が消去され
変動アイコンｅ１の態様が白色円形から青色円形に変化し
変動アイコンｅ１は、変化予告アイコンｋ１と同じ青色に変化する
・・・
【０３６７】
　図２２（ｋ）は、
変化予告アイコンｋ３が移動する移動アニメーションが開始され
変化予告アイコンｋ３が保留アイコンｆ１と変動アイコンｅ１の間に向かって移動する
【０３６８】
　図２２（ｌ）は、
変化予告アイコンｋ３が保留アイコンｆ１と変動アイコンｅ１の間に移動し
変化予告アイコンｋ３は保留アイコンｆ１の一部と変動アイコンｅ１の一部とにオーバーラップし
【０３６９】
　図２２（ｍ）は、エフェクト画像ｍ１、ｍ２、ｍ３が表示された状態を示している。エフェクト画像ｍ１は保留アイコンｆ１にオーバーラップして表示され、エフェクト画像ｍ２は変化予告アイコンｋ３にオーバーラップして表示され、エフェクト画像ｍ３は変動アイコンｅ１にオーバーラップして表示される。
エフェクト画像ｍ１、ｍ２、ｍ３により、保留アイコンｆ１、変動アイコンｅ１、および変化予告アイコンｋ３は視認不可能となる
【０３７０】
　図２２（ｎ）は、エフェクト画像ｍ１、ｍ２、ｍ３が消去された状態を示している。なお、
エフェクト画像ｍ１、ｍ２、ｍ３が消去されるのに先立って、変化予告アイコンｋ３は消去され
変動アイコンｅ１の態様が青色円形から赤色円形に変化して
変動アイコンｅ１は、変化予告アイコンｋ３と同じ赤色に変化する
　
（７）「【０５９１】
　なお、上記詳細な説明で説明した事項、特に実施例１〜２２および変形例で説明した事項は組み合わせることが可能である。」
　
（８）　図２２（ａ）、（ｃ）〜（ｅ）、（ｌ）には、
表示手段のうち第１装飾図柄表示装置２０８Ｌに、変動アイコンｅ１を表示し
第１装飾図柄表示装置２０８Ｌまたは第２装飾図柄表示装置２０８Ｍに、変動アイコンｅ１と同じ大きさの円形態様の変化予告アイコンｋ１、ｋ２、ｋ３を表示
　
（９）　図２２（ｄ）には、変動アイコンｅ１と、変化予告アイコンｋ１が、オーバーラップせずに表示される態様を看て取ることができる。
　また、図２２（ｃ）（ｄ）には、変動アイコンｅ１と、変化予告アイコンｋ２が、オーバーラップせずに表示される態様を看て取ることができる。
　さらに、図２２（ｋ）には、変動アイコンｅ１と、変化予告アイコンｋ３が、オーバーラップせずに表示される態様を看て取ることができる。
　
（１０）　図２２（ｉ）（ｊ）より、
第２装飾図柄表示装置２０８Ｍに変化予告アイコンｋ３が表示されて
　
（１１）　図２２（ｂ）（ｃ）（ｋ）には、いずれも
変動アイコン表示領域ｅに変動アイコンｅ１が表示されている状態
　
（１２）　図２２（ｅ）（ｈ）には、色が変化した
変動アイコンｅ１の態様が、変化予告アイコンｋ１と同じ大きさかつ同じ円形形状である
　
（１３）　図２２（ｌ）（ｎ）には、色が変化した
変動アイコンｅ１の態様が、変化予告アイコンｋ３と同じ大きさかつ同じ円形形状である
　
（１４）　図２２（ｈ）及び図２２（ｎ）には、
変動アイコンｅ１が、変動アイコン表示領域ｅ内に表示された円柱状のステージ（台座画像）の上面上に載置されるように表示され
　
（１５）　図２１（ａ）から、
変化予告アイコンｋ２が消去され、エフェクト画像ｍが保留アイコンｆ１の全体にオーバーラップして表示された状態で、変動アイコンｅ１は色を変化することなく変動アイコン表示領域ｅ内に表示された円柱状のステージ（台座画像）の上面上に載置されるように表示され
（１６）　上記（９）に基づく認定事項（図２２（ｃ）（ｄ）（ｋ））
　上記（９）の図２２（ｄ）の「変動アイコンｅ１と、変化予告アイコンｋ１が、オーバーラップせずに表示される態様」と、
図２２（ｃ）（ｄ）の「変動アイコンｅ１と、変化予告アイコンｋ２が、オーバーラップせずに表示される態様」と、
図２２（ｋ）の「変動アイコンｅ１と、変化予告アイコンｋ３が、オーバーラップせずに表示される態様」から、
「変動アイコンｅ１と、変化予告アイコンｋ１は、オーバーラップせずに表示される態様があり、
　変動アイコンｅ１と、変化予告アイコンｋ２は、オーバーラップせずに表示される態様があり、
　変動アイコンｅ１と、変化予告アイコンｋ３は、オーバーラップせずに表示される態様があり、」
との事項が導かれる。
　
　そして、上記記載事項（１）〜（７）、図面に記載された事項（８）〜（１５）、記載事項及び図面に記載された事項から認定された事項（１６）を総合すると、引用文献１には、次の発明（以下、「引用発明」という。）が記載されていると認められる（ａ〜ｏは、本願発明のＡ〜Ｏに対応させて当審にて付与した。また、丸括弧内に示された段落番号は、引用文献における引用箇所を示す。）。
　
（引用発明） 
「ａ　第１装飾図柄表示装置２０８Ｌと、第２装飾図柄表示装置２０８Ｍと、第３装飾図柄表示装置２０８Ｎとを表示手段として有しているパチンコ機１００であって（【００１０】、【０２３２】）、
　
ｂ、ｃ  第１装飾図柄表示装置２０８Ｌには、変動アイコン表示領域ｅが設けられ、変動アイコン表示領域ｅ内に表示された円柱状のステージ（台座画像）の上面上に載置されるように変動アイコンｅ１が表示され（【０２３８】）、
　変動アイコンｅ１は、保留が消化されて特図変動遊技が開始されると表示されるアイコンであり（【０２３８】）、
　
ｄ−ｆ　表示手段のうち第１装飾図柄表示装置２０８Ｌに、変動アイコンｅ１を表示し（上記（８）の図２２（ａ）、（ｃ）〜（ｅ）、（ｌ））、
　表示手段のうち第１装飾図柄表示装置２０８Ｌまたは第２装飾図柄表示装置２０８Ｍに、変動アイコンｅ１と同じ大きさの円形態様の変化予告アイコンｋ１、ｋ２、ｋ３を表示し（上記（８）図２２（ａ）、（ｃ）〜（ｅ）、（ｌ））、
　変動アイコンｅ１の態様は、白色円形であり（【０３５６】）、
ｇ　変動アイコンｅ１と、変化予告アイコンｋ１は、オーバーラップせずに表示される態様があり（上記（９）（図２２（ｃ）（ｄ）（ｋ））に基づく認定事項（１６））、
　変動アイコンｅ１と、変化予告アイコンｋ２は、オーバーラップせずに表示される態様があり（同認定事項（１６））、
　変動アイコンｅ１と、変化予告アイコンｋ３は、オーバーラップせずに表示される態様があり（同認定事項（１６））、
ｈ　第２装飾図柄表示装置２０８Ｍに変化予告アイコンｋ１と、変化予告アイコンｋ２とが表示され（【０３５６】）、
　第２装飾図柄表示装置２０８Ｍに変化予告アイコンｋ３が表示され（上記（１０）図２２（ｉ）（ｊ））、
　
ｉ　変動アイコン表示領域ｅに変動アイコンｅ１が表示されている（【０３５６】）状態（上記（１１）図２２（ｂ））で、変化予告アイコンｋ２が移動する移動アニメーションが開始され、変化予告アイコンｋ２が保留アイコンｆ１に向かって移動を開始し（【０３５７】）、
　変動アイコン表示領域ｅに変動アイコンｅ１が表示されている（【０３５６】）状態（上記（１１）図２２（ｃ））で、変化予告アイコンｋ１が移動する移動アニメーションが開始され、変化予告アイコンｋ１が変動アイコンｅ１に向かって移動を開始し（【０３５８】）、
　変動アイコン表示領域ｅに変動アイコンｅ１が表示されている（【０３５６】）状態（上記（１１）図２２（ｋ））で、変化予告アイコンｋ３が移動する移動アニメーションが開始され、変化予告アイコンｋ３が保留アイコンｆ１と変動アイコンｅ１の間に向かって移動し（【０３６７】）、
　
ｊ　各保留アイコンの態様によって当該保留に係る先読み予告を実行することが可能であり、白色円形の態様はデフォルトの態様であって、複数の態様のうちの最も大当り信頼度が低い態様であり（【０２３９】）、
　保留変化表示が行われたことにより、先読み予告の対象の保留に対応する保留アイコンｆ１態様は白色円形から緑色円形に変化し（【０３６３】）、
　変化予告アイコンｋ３が移動する移動アニメーションが開始され（【０３６７】）、
　変化予告アイコンｋ３が保留アイコンｆ１と変動アイコンｅ１の間に移動し、変化予告アイコンｋ３は保留アイコンｆ１の一部と変動アイコンｅ１の一部とにオーバーラップし（【０３６８】）、
ｋ　変化予告アイコンｋ１が変動アイコンｅ１の一部にオーバーラップする位置まで移動し（【０３６１】）、変化予告アイコンｋ１が変動アイコンｅ１の一部にオーバーラップされると、変化予告アイコンｋ１が消去されて、代わってエフェクト画像ｍ２が表示され（【０３６２】）、エフェクト画像ｍ２が消去され、変動アイコンｅ１は変化予告アイコンｋ１と同じ青色に変化して、変動アイコンｅ１の態様は白色円形から、変化予告アイコンｋ１と同じ大きさかつ同じ円形形状の青色円形に変化し（【０３６４】、上記（１２）図２２（ｅ）（ｈ））、変動アイコンｅ１は変動アイコン表示領域ｅ内に表示された円柱状のステージ（台座画像）の上面上に載置されるように表示され（上記（１４）図２２（ｈ））、
　変化予告アイコンｋ３が保留アイコンｆ１と変動アイコンｅ１の間に移動し、変化予告アイコンｋ３は保留アイコンｆ１の一部と変動アイコンｅ１の一部とにオーバーラップし（【０３６８】）、エフェクト画像ｍ１、ｍ２、ｍ３により、保留アイコンｆ１、変動アイコンｅ１、および変化予告アイコンｋ３は視認不可能となり（【０３６９】）、エフェクト画像ｍ１、ｍ２、ｍ３が消去され、エフェクト画像ｍ１、ｍ２、ｍ３が消去されるのに先立って、変化予告アイコンｋ３は消去され、変動アイコンｅ１は、変化予告アイコンｋ３と同じ赤色に変化して、変動アイコンｅ１の態様は青色円形から変化予告アイコンｋ３と同じ大きさかつ同じ円形形状の赤色円形に変化し（【０３７０】、上記（１３）図２２（ｌ）（ｎ））、変動アイコンｅ１は変動アイコン表示領域ｅ内に表示された円柱状のステージ（台座画像）の上面上に載置されるように表示され（上記（１４）図２２（ｎ））、
　
ｌ　変化予告アイコンｋ２が保留アイコンｆ１の一部にオーバーラップする位置まで移動し（【０３３８】）、
　変化予告アイコンｋ２が消去され、エフェクト画像ｍが保留アイコンｆ１の全体にオーバーラップして表示され（【０３３９】）た状態で、変動アイコンｅ１は色を変化することなく変動アイコン表示領域ｅ内に表示された円柱状のステージ（台座画像）の上面上に載置されるように表示され（上記（１５）図２１（ａ））、
　
ｍ　特図１始動口２３０に球が入球したことを第１始動口センサが検出したことを条件として特図１変動遊技が開始され、特図２始動口２３２に球が入球したことを第２始動口センサが検出したことを条件として特図２変動遊技が開始され（【００７３】）、
　特図１および特図２のそれぞれにおいて保留の上限数が４つとなる（【０１３８】）、
　
ｏ　パチンコ機１００（遊技台）（【００１０】、【０２３２】）。」
　
５　本願発明と引用発明の対比 
　本願発明と引用発明とを分説にしたがって対比する。
　
（ａ）引用発明の構成ａの「表示手段」は本願発明の「表示手段」に相当するとともに、「第１装飾図柄表示装置２０８Ｌと、第２装飾図柄表示装置２０８Ｍと、第３装飾図柄表示装置２０８Ｎ」も、それぞれ本願発明の「表示手段」に相当する。
　また、引用発明の「有している」、「パチンコ機１００」は、それぞれ本願発明の「備えた」、「遊技台」に相当する。
　してみると、引用発明の構成ａは、本願発明の構成Ａに相当するものである。 
　
（ｂ）引用発明の構成ｂ、ｃの「保留が消化されて特図変動遊技が開始されると表示されるアイコンであ」る「変動アイコンｅ１」は、本願発明の構成Ｂの「実行中の図柄変動表示に関するアイコン（以下、「変動アイコン」という。）」に相当する。
　そして、引用発明の構成ｂ、ｃの「第１装飾図柄表示装置２０８Ｌ」（表示手段）には、「変動アイコン表示領域ｅが設けられ、変動アイコン表示領域ｅ内に」「変動アイコンｅ１が表示され」るのだから、引用発明の構成ｂ、ｃの「第１装飾図柄表示装置２０８Ｌ」（表示手段）は、「変動アイコンｅ１」（変動アイコン）を「表示可能な手段」に相当する。
　してみると、引用発明の構成ｂ、ｃは、本願発明の構成Ｂに相当するものである。
　
（ｃ）引用発明の構成ｂ、ｃの「変動アイコン表示領域ｅ」は、本願発明の構成Ｃの「或る表示領域」に相当するとともに、引用発明の構成ｂ、ｃの「第１装飾図柄表示装置２０８Ｌ」（表示手段）に「設けられ」た「変動アイコン表示領域ｅ」は、本願発明の構成Ｃの「表示手段における表示領域のうちの或る表示領域」に相当し、引用発明の構成ｂ、ｃの「変動アイコン表示領域ｅ内に表示された円柱状のステージ（台座画像）の上面上に載置されるように変動アイコンｅ１が表示され」ることは、本願発明の構成Ｃの「或る表示領域に前記変動アイコンを表示可能」であることに相当する。
　また、引用発明の構成ｂ、ｃの「第１装飾図柄表示装置２０８Ｌ」（表示手段）が、「変動アイコンｅ１」（変動アイコン）を「表示可能な手段」に相当することは、上記（ｂ）にて説示のとおりである。
　してみると、引用発明の構成ｂ、ｃは、本願発明の構成Ｃに相当するものである。 
　
（ｄ）引用発明の構成ｄ−ｆの「円形態様の変化予告アイコンｋ１、ｋ２、ｋ３」は、「変動アイコンｅ１」（変動アイコン）と「同じ大きさ」であり、同じ「円形」態様なのだから、大きさ及び形状から「変動アイコンｅ１」（変動アイコン）と区別することができず、本願発明の構成Ｄの「二つの変動アイコン」のうちのひとつに相当する。
　また、引用発明の構成ｄ−ｆの「変動アイコンｅ１を表示」し「変化予告アイコンｋ１、ｋ２、ｋ３を表示」する「表示手段」は、本願発明の構成Ｄの「二つの前記変動アイコン（以下、「二つの変動アイコン」という。）を表示可能な手段であ」る「表示手段」に相当する。
　してみると、引用発明の構成ｄ−ｆは、本願発明の構成Ｄに相当するものである。 
　
（ｅ）（ｆ）引用発明の構成ｄ−ｆの「変動アイコンｅ１」は、本願発明の構成Ｅの「二つの変動アイコンのうちの一つ」に相当するとともに、「第一の変動アイコン」に相当する。
　また、引用発明の構成ｄ−ｆの「円形態様の変化予告アイコンｋ１、ｋ２、ｋ３」は、「二つの変動アイコンのうちの一つ」に相当するとともに、「第二の変動アイコン」に相当する。
　してみると、引用発明の構成ｄ−ｆは、本願発明の構成Ｅ、Ｆに相当するものである。
　
（ｇ）引用発明の構成ｇの
「変動アイコンｅ１と、変化予告アイコンｋ１は、オーバーラップせずに表示される態様」、
「変動アイコンｅ１と、変化予告アイコンｋ２は、オーバーラップせずに表示される態様」、
「変動アイコンｅ１と、変化予告アイコンｋ３は、オーバーラップせずに表示される態様」、
は、いずれも本願発明の構成Ｇの
「前記第一の変動アイコンと前記第二の変動アイコンが重ならずに表示されている場合」に相当する。
　してみると、引用発明の構成ｇは、本願発明の構成Ｇに相当するものである。
　
（ｈ）引用発明の構成ｂ、ｃによれば「変動アイコン表示領域ｅ」（本願発明の構成Ｃの「或る表示領域」に相当）は、「第１装飾図柄表示装置２０８Ｌ」に「設けられ」ているのだから、引用発明において「第１装飾図柄表示装置２０８Ｌ」とは別の表示装置である「第２装飾図柄表示装置２０８Ｍ」の表示領域は本願発明の「或る表示領域とは別の表示領域」に相当する。
　一方、引用発明の構成ｈの「変化予告アイコンｋ１」、「変化予告アイコンｋ２」及び「変化予告アイコンｋ３」（いずれも本願発明の「第二の変動アイコン」に相当）は、いずれも「第２装飾図柄表示装置２０８Ｍ」の表示領域（本願発明の「或る表示領域とは別の表示領域）に相当）の表示領域に表示されるものであるのだから、引用発明の構成ｈの「変化予告アイコンｋ１」、「変化予告アイコンｋ２」及び「変化予告アイコンｋ３」（第二の変動アイコン）の全部が、或る表示領域とは別の表示領域」に「表示され」ることがあるのは明らかである。
　
　してみると、引用発明の構成ｈは、本願発明の構成Ｈに相当するものである。
　
（ｉ）引用発明における「変動アイコンｅ１」が本願発明の「第一の変動アイコン」に相当することは、上記（ｅ）（ｆ）のとおりである。
　また、引用発明における「円形態様の変化予告アイコンｋ１、ｋ２、ｋ３」が、いずれも本願発明の「第二の変動アイコン」に相当することも上記（ｅ）（ｆ）のとおりであり、引用発明の構成ｉの
「変化予告アイコンｋ２が移動する移動アニメーション」、
「変化予告アイコンｋ１が移動する移動アニメーション」、及び
「変化予告アイコンｋ３が移動する移動アニメーション」は、いずれも本願発明の構成Ｉの「第二の変動アイコンが移動するアニメーション（以下、「第二の移動アニメ」という。）」に相当する。
　そうすると、引用発明の構成ｉの
「変動アイコンｅ１が表示されている状態で、変化予告アイコンｋ２が移動する移動アニメーションが開始され」ること、
「変動アイコンｅ１が表示されている状態で、変化予告アイコンｋ１が移動する移動アニメーションが開始され」ること、及び
「変動アイコンｅ１が表示されている状態で、変化予告アイコンｋ３が移動する移動アニメーションが開始され」ることは、いずれも本願発明の構成Ｉの「前記第一の変動アイコンが表示されている期間において前記第二の変動アイコンが移動するアニメーション（以下、「第二の移動アニメ」という。）が表示される場合」に相当するといえる。
　
　してみると、引用発明の構成ｉは、本願発明の構成Ｉに相当するものである。
　
（ｊ）引用発明の構成ｊにおいて、「各保留アイコン」は「態様によって当該保留に係る先読み予告を実行することが可能であり、白色円形の態様はデフォルトの態様であって、複数の態様のうちの最も大当り信頼度が低い態様であ」るのだから、同引用発明の構成ｊにおける「緑色円形に変化し」た「保留アイコンｆ１」は本願発明の「予告表示」に相当するといえる。
　また、引用発明の「変化予告アイコンｋ３」（第二の変動アイコン）が「保留アイコンｆ１の一部」「とにオーバーラップ」することは、本願発明の構成Ｊの「第二の変動アイコンの少なくとも一部が予告表示の少なくとも一部と重なる」ことに相当する。
　したがって、引用発明の構成ｊの
「変化予告アイコンｋ３が移動する移動アニメーションが開始され」（第二の移動アニメが表示され）、「変化予告アイコンｋ３」が「保留アイコンｆ１の一部」「とにオーバーラップ」することは、本願発明の構成Ｊの「前記第二の移動アニメが表示されている期間の少なくとも一部の期間に前記第二の変動アイコンの少なくとも一部が予告表示の少なくとも一部と重なる」ことに相当する。
　
　してみると、引用発明の構成ｊは、本願発明の構成Ｊに相当するものである。
　
（ｋ）引用発明の構成ｋの「変化予告アイコンｋ１が変動アイコンｅ１の一部にオーバーラップする位置まで移動」することは、本願発明の構成Ｋの「前記第二の移動アニメが表示された」ことに相当する。
　また同様に、引用発明の構成ｋの「変化予告アイコンｋ３が保留アイコンｆ１と変動アイコンｅ１の間に移動」することも、本願発明の構成Ｋの「前記第二の移動アニメが表示された」ことに相当する。
　そして、引用発明の「変動アイコン表示領域ｅ」が本願発明の「或る表示領域」に相当することは上記（ｃ）にて説示のとおりであるから、引用発明の構成ｋの「変動アイコンｅ１」が「変動アイコン表示領域ｅ内に表示された円柱状のステージ（台座画像）の上面上に載置されるように表示され」ることは、本願発明の構成Ｋの「前記第二の変動アイコンが前記或る表示領域に表示される」ことと、「アイコンが前記或る表示領域に表示される」点で共通する。
　
　してみると、引用発明の構成ｋは、本願発明の構成Ｋと、
「前記第二の移動アニメが表示された後、アイコンが前記或る表示領域に表示される場合があ」る点で共通する。
　
（ｌ）引用発明の構成ｌの「変化予告アイコンｋ２が保留アイコンｆ１の一部にオーバーラップする位置まで移動」することは、本願発明の構成Ｌの「前記第二の移動アニメが表示された」ことに相当する。
　そして、引用発明の「変動アイコン表示領域ｅ」が本願発明の「或る表示領域」に相当することは上記（ｃ）にて説示のとおりであるから、引用発明の構成ｌの「変動アイコンｅ１」が「色を変化することなく変動アイコン表示領域ｅ内に表示された円柱状のステージ（台座画像）の上面上に載置されるように表示され」ることは、本願発明の構成Ｌの「前記第二の変動アイコンが前記或る表示領域に表示されずに前記第一の変動アイコンが該或る表示領域に表示される」ことに相当する。
　してみると、引用発明の構成ｌは、本願発明の構成Ｌに相当するものである。
　
（ｍ）引用発明の構成ｍの「特図１変動遊技」の「開始」及び「特図２変動遊技」の「開始」は、いずれも本願発明の「図柄変動表示の実行の開始」に相当するとともに、引用発明の構成ｍの「４つ」、「上限数」、「保留」はそれぞれ本願発明の「或る数」「上限」「保留」に相当する。
　そして、遊技機における「特図１」および「特図２」の保留が、それぞれ「特図１変動遊技」の「開始」および「特図２変動遊技」の「開始」の保留であることは、技術常識である。
　してみると、引用発明の構成ｍは、本願発明の構成Ｍに相当するものである。
　
（ｏ）引用発明の「パチンコ機１００」は、本願発明の「遊技台」に相当する。
　引用発明の構成ｏは、本願発明の構成Ｏに相当するものである。
　
　そうすると、上記（ａ）〜（ｏ）によれば、本願発明と引用発明との一致点及び相違点は以下のとおりである。
　
（一致点）
「Ａ　表示手段を備えた遊技台であって、
Ｂ　前記表示手段は、実行中の図柄変動表示に関するアイコン（以下、「変動アイコン」という。）を表示可能な手段であり、
Ｃ　前記表示手段は、該表示手段における表示領域のうちの或る表示領域に前記変動アイコンを表示可能な手段であり、
Ｄ　前記表示手段は、二つの前記変動アイコン（以下、「二つの変動アイコン」という。）を表示可能な手段であり、
Ｅ　前記二つの変動アイコンのうちの一つは、第一の変動アイコンであり、
Ｆ　前記二つの変動アイコンのうちの一つは、第二の変動アイコンであり、
Ｇ　前記第一の変動アイコンと前記第二の変動アイコンが重ならずに表示されている場合があり、
Ｈ　前記第二の変動アイコンの全部が前記或る表示領域とは別の表示領域に表示されている場合があり、
Ｉ　前記第一の変動アイコンが表示されている期間において前記第二の変動アイコンが移動するアニメーション（以下、「第二の移動アニメ」という。）が表示される場合があり、
Ｊ　前記第二の移動アニメが表示されている期間の少なくとも一部の期間に前記第二の変動アイコンの少なくとも一部が予告表示の少なくとも一部と重なる場合があり、
Ｋ′前記第二の移動アニメが表示された後、アイコンが前記或る表示領域に表示される場合があり、
Ｌ　前記第二の移動アニメが表示された後、前記第二の変動アイコンが前記或る表示領域に表示されずに前記第一の変動アイコンが該或る表示領域に表示される場合（以下、「第二の場合」という。）があり、
Ｍ　或る数を上限として図柄変動表示の実行の開始を保留することが可能である、
Ｏ　遊技台。」
　
（相違点１） 
　構成Ｋの「第二の移動アニメが表示された後」について、本願発明では、「前記第二の変動アイコンが前記或る表示領域に表示される場合」「があ」るのに対し、引用発明では、「アイコンが前記或る表示領域に表示される場合があ」るものの、そのアイコンは「変動アイコンｅ１」（第一の変動アイコン）であって、「第二の変動アイコン」ではない点。
（相違点２）
　構成Ｎについて、本願発明は、「前記二つの変動アイコンが表示されている期間に表示されている保留アイコンの数が、前記或る数を超えた数となる場合がある」のに対し、引用発明は係る構成を有しない点。
　
６　判断
　上記相違点について検討する。
　
（１）相違点１について（構成Ｋ）
ア　引用発明の構成ｋの「変化予告アイコンｋ１が変動アイコンｅ１の一部にオーバーラップする位置まで移動」（前記第二の移動アニメが表示された）後についてさらにみると、「変化予告アイコンｋ１」（第二の変動アイコン）は、「消去されて、代わってエフェクト画像ｍ２が表示され」、「エフェクト画像ｍ２が消去され」ると、「変動アイコンｅ１」（第一の変動アイコン）は、「変化予告アイコンｋ１」（第二の変動アイコン）と同じ青色、同じ大きさかつ同じ円形形状の青色円形に変化するのだから、引用発明において、当該演出の前後で、変動アイコンｅ１（第一の変動アイコン）の色が変化したものであったとしても、実質的には変動アイコンｅ１（第一の変動アイコン）が変化予告アイコンｋ１（第二の変動アイコン）自体に変化してみえることは明らかである。
　
　そうすると、引用発明の構成ｋにおいて、「変化予告アイコンｋ１が変動アイコンｅ１の一部にオーバーラップする位置まで移動」（前記第二の移動アニメが表示された）後、変化予告アイコンｋ１（第二の変動アイコン）が、「変動アイコン表示領域ｅ」（或る表示領域）に表示されたようにみえることは明らかである。
　
イ　上記アと同様に、引用発明の構成ｋの「変化予告アイコンｋ３が保留アイコンｆ１と変動アイコンｅ１の間に移動」（前記第二の移動アニメが表示された）後についてみると、「変化予告アイコンｋ３」（第二の変動アイコン）は、「エフェクト画像ｍ１、ｍ２、ｍ３により」「視認不可能となり」、「変化予告アイコンｋ３は消去され」、「エフェクト画像ｍ１、ｍ２、ｍ３が消去され」ると、「変動アイコンｅ１」（第一の変動アイコン）は、「変化予告アイコンｋ３」（第二の変動アイコン）と同じ赤色、同じ大きさかつ同じ円形形状の赤色円形に変化するのだから、引用発明において、当該演出の前後で、変動アイコンｅ１（第一の変動アイコン）の色が変化したものであったとしても、実質的には変動アイコンｅ１（第一の変動アイコン）が変化予告アイコンｋ３（第二の変動アイコン）自体に変化してみえることは明らかである。
　
　そうすると、引用発明の構成ｋにおいて、「変化予告アイコンｋ３が保留アイコンｆ１と変動アイコンｅ１の間に移動」（前記第二の移動アニメが表示された）後についても、変化予告アイコンｋ３（第二の変動アイコン）が、「変動アイコン表示領域ｅ」（或る表示領域）に表示されたようにみえることは明らかである。
　
ウ　上記ア、イより、引用発明の構成ｋは、本願発明の構成Ｋと、実質的には相違しないものであり、上記相違点１は実質的には相違点とはいえないものである。
　
（２）相違点２について
　保留アイコンの表示において、表示手段に特徴を持たせること、保留図柄の表示に係る遊技興趣を向上させることや、保留数を確認しやすくすること等を課題とし、表示される保留アイコンの数を、保留することが可能な「或る数」を超えた数とする態様とすることが、例えば、
・特開２０１７−１１３６２０号公報
（特に【０００４】の「・・・従来の遊技台は、表示手段に改良の余地がある。本発明の目的は、表示手段に特徴を持った遊技台を提供することにある。」との記載のほか、【０３４９】の、「この例では、特図１変動遊技の保留数を装飾図柄表示装置２０８´の一部の表示領域を用いて報知するための特図１用保留アイコン第１表示領域９０１´と、特図１変動遊技の保留数を報知するための特図１用第保留アイコン第２表示領域９０３´の２つを別々に設けており、特図１用保留アイコン第１表示領域９０１´における保留表示の態様と、特図１用保留アイコン第２表示領域９０３´における保留表示の態様を異ならせている。」との記載や、図５１および図５２を参照。これらの記載から、表示可能とされる保留アイコンの数が、保留することが可能な数の２倍（保留することが可能な「或る数」を超えた数）となっていることは明らかである。）
・特開２０１６−２１４９４７号公報
（特に【０００６】の「・・・保留図柄等の記憶表示の表示に係る遊技興趣を高めることができる遊技機を提供することを目的とする。」との記載のほか、【０１８０】の、「ここで、本実施例のパチンコ機１では、・・・円形の保留図柄を演出表示装置２７にて表示するところ、変動モードＤの設定中は、図２７に示すように、円形の保留図柄に追加して、トランプや宝箱を模した保留図柄を表示する。」との記載や、図２７等を参照。これらの記載から、表示可能とされる保留アイコンの数が、保留することが可能な数の２倍（保留することが可能な「或る数」を超えた数）となっていることは明らかである。）
・特開２０１３−２０８２２１号公報
（特に【０９９１】、【０９９５】、【０９９８】、【１１５１】の、
「【０９９１】
　以下、この特図保留表示領域２０８ｈのように、従来公知の保留画像（この例では、単色で塗りつぶされた円の画像）のみを表示する特図保留表示領域、または、装飾図柄を表示する図柄表示領域と重なり合わない特図保留表示領域を、「通常保留表示領域」と称する場合がある。」
「【０９９５】
　以下この特図保留表示領域２０８ｊのように、本発明に係る保留アイコンや変動アイコンを少なくとも１つ表示する特図保留表示領域、または、装飾図柄を表示する図柄表示領域と少なくとも一部が重なり合う特図保留表示領域を、上述の「通常保留表示領域」に対して「特殊保留表示領域」と称する場合がある。」
「【０９９８】
・・・モードＣ（爺モード）では、装飾図柄表示装置２０８の表示領域に、モードＡ（殿モード）における特図保留表示領域（通常保留表示領域）２０８ｈと、モードＢ（姫モード）における特図保留表示領域（特殊保留表示領域）２０８ｊの両方を配置している。」
「【１１５１】
　このような構成とすれば、第一の表示は装飾図柄変動表示に近いため、装飾図柄変動表示から視線を大きくそらすことなく第一の表示を視認して保留数を確認することができる場合がある。また、第一の表示と第二の表示の表示位置は近いため、第一の表示が視認困難となっても視線を大きく逸らすことなく第二の表示を視認して保留数を確認することができる場合がある。」との記載や、図１４２（ｃ）等を参照。これらの記載から、表示可能とされる保留アイコンの数が、保留することが可能な数の２倍（保留することが可能な「或る数」を超えた数）となっていることは明らかである。）
にみられるように従来より周知である。
　一方、引用文献１には、表示手段に特徴を持った遊技台を提供することを目的とすることが記載されており（上記「４　引用文献に記載された事項」（１）の【０００６】の記載を参照。）、さらに、遊技機において保留図柄の表示に係る遊技興趣を向上させることや保留数を確認しやすく表示することはいずれも自明の課題である。
　してみれば、引用発明において、表示手段に特徴を持たせること、表示に係る遊技興趣を向上させること、保留数を確認しやすくすること等を意図して、表示されている保留アイコンの数を、図柄変動表示の実行の開始を保留することが可能な上限数（或る数）を超えた数となる態様とし、以て、二つの変動アイコンが表示されている期間において表示されている保留アイコンの数に、前記或る数を超えた数となる場合を設定することは、当業者が適宜なしうる事項というべきである。
　
７　本願発明が奏する効果について
　本願発明が奏する作用効果について検討してみても、当業者が引用発明及び周知の技術から予測し得るものであって、格別のものということはできない。
　
８　請求人の主張について
　審判請求人は、平成３０年９月２６日提出の意見書において、引用文献１及び２のいずれも、保留アイコンが増加するような技術思想が一切なく、これに対し、補正後の本願発明は、変動アイコンを含め、保留数を示す保留アイコンの数を実際の数より増加させ、その結果として保留限度数を超えた数の保留アイコンを表示させることができるようになることで、変動アイコンの他にも保留アイコンが増加することに注目させることができ、これによって、保留限度数をも超えて表示された多量のアイコンの表示により、その後の大当りへの期待が高まるような何らかの演出ないしは結果が導出される期待感を掻き立てるという特有の効果を奏する旨の主張をしている。
　
　しかし、上記「６　判断」「（２）相違点２について」にて説示のとおり、保留アイコンの表示において、表示される保留アイコンの数を、保留することが可能な「或る数」を超えた数とする態様とすることは従来より周知の態様であって、引用発明において、表示されている保留アイコンの数を、図柄変動表示の実行の開始を保留することが可能な上限数（或る数）を超えた数となる態様とし、以て、二つの変動アイコンが表示されている期間において表示されている保留アイコンの数に、前記或る数を超えた数となる場合を設定することは、当業者が適宜なしうる事項である。
　そして、上記作用効果について検討してみても、当業者が引用発明及び周知の技術から予測し得るものであって、格別のものということはできない。
　
９　むすび 
　以上のとおりであるから、本願発明は、特許法第２９条第２項の規定により特許を受けることができない。
　
　したがって、他の請求項について検討するまでもなく本願は拒絶すべきものである。
　
　よって、結論のとおり審決する。